(57)【要約】【課題】「ぶら下げ基板」等を用いた不正行為を抑制することの可能な遊技機を提供する。【解決手段】パチンコ機１の遊技盤４には、第１種始動口１３及び大入賞口１４が設けられている。遊技盤４の中央部分には、表示装置１８が組込まれている。表示装置１８は、液晶ディスプレイ１８ａを備え、ここに複数の図柄列が表示される。各図柄列の図柄変動は、遊技球１５の第１種始動口１３への入賞に基づいて開始させられる。また、大当たり図柄、外れリーチ図柄、外れ図柄の中から１つが選択され、これが停止図柄として設定される。始動スイッチ１９及び中継基板間を接続する信号線に関し、中継基板側のコネクタは、ボードインタイプのものが採用され、中継基板に対し固着されている。【選択図】          図１
2010022861.tif 000002
【特許請求の範囲】
【請求項１】
所定の契機を検出する検出手段と、
前記検出手段により検出された所定の契機が特定の条件を満たす場合に、遊技者にとって有利となる特別遊技状態を発生させる旨の信号を出力する制御手段を有してなる主基板と、
前記主基板の外部に設けられ、少なくとも前記信号に基づいて駆動制御される動作装置と、
前記検出手段及び前記主基板間、並びに、前記主基板及び前記動作装置間での信号の送信を許容するための複数の信号線と、
前記信号線の途中に介設される中継基板と
を備えた遊技機であって、
前記中継基板側における前記信号線の少なくとも一部のコネクタを、前記中継基板に対し固着させたことを特徴とする遊技機。
【発明の詳細な説明】
【技術分野】
【０００１】
本発明は、パチンコ機等に代表される遊技機に係り、特に、「ぶら下げ基板」等による不正行為に対処しうる遊技機に関するものである。
【背景技術】
【０００２】
従来、遊技機の一種として、複数種類の図柄等を、予め定められた配列で変動表示するための変動表示装置を備えたパチンコ機が知られている。
【０００３】
この種のパチンコ機では、表示装置での変動表示停止時の表示図柄（停止図柄）に応じて、リーチ状態を経た後に遊技者に有利な状態となる「特別遊技状態（大当たり状態）」、リーチ状態を経た後に特別遊技状態とはならない「外れリーチ状態」、又は、リーチ状態を経ず、かつ、特別遊技状態ともならない「外れ状態」が発生させられる。停止図柄には、特別遊技状態を発生させるための特別遊技図柄、外れリーチを発生させるための外れリーチ図柄、及び、外れ状態を発生させるための外れ図柄がある。
【０００４】
前記のようなパチンコ機では、遊技者の操作に応じて変化する遊技状況が、所定の条件を満たすこと（例えば、遊技球が始動口に入賞したり、始動ゲートを通過したりすることが近接スイッチ等により検出されること）に基づいて、表示装置において、図柄の変動表示が開始される。また、上記特別遊技図柄、外れリーチ図柄、及び、外れ図柄の中から、遊技状況に応じた停止図柄が選択される。そして、その選択された停止図柄で前記変動表示が停止させられる。この場合、停止図柄が予め定められた特定の図柄であると、上述した特別遊技状態が発生させられる。より詳しくは、大入賞口が所定時間開放され、その開放時において、当該大入賞口に遊技球を入賞させることにより、遊技者に対し多くの景品球が払い出される。
【０００５】
このような特別遊技状態の発生の有無は、遊技球が始動口に入賞（又は始動ゲートを通過）したことが検出されるタイミングで決定される。すなわち、パチンコ機の制御装置は、１カウントずつ、定期的に、一定の範囲で（例えば１カウントずつ、「２ｍｓ」毎に、０〜１９９の範囲で）更新するカウンタ（乱数カウンタ）を備えており、遊技球の始動口への入賞等が検出されたときに、そのカウンタの値（乱数値）を読み出す。そして、制御装置は、読み出された乱数値が、予め定められた所定値（例えば「７」）と一致する場合に、特別遊技状態を発生させるようにしている。特別遊技状態が発生すると、大当たりコマンドが、制御装置中の主基板のコネクタに接続された信号線を介して中継基板へと送信され、さらに中継基板のコネクタに接続された信号線を介して、表示装置の表示用基板へと送信される。表示装置では、受信された大当たりコマンドに基づいて変動表示を制御し、変動表示停止時において上記特別遊技図柄を発生させるのである。
【発明の概要】
【発明が解決しようとする課題】
【０００６】
しかしながら、近年、「ぶら下げ基板」と称される不正な基板を使用した不正行為が報告されている。この不正行為は、始動口等に設けられた始動検出手段（近接スイッチ等）と中継基板との間、中継基板と主基板との間、或いは、中継基板と表示装置の表示用基板（他の各種入出力装置の基板でもよい）との間に、不正な基板をぶら下げて（不正な「ぶら下げ基板」を取付けて）、不当に特別遊技状態を発生させるというものである。
【０００７】
より詳しくは、上述した特別遊技状態を決定するためのカウンタと同様の動きをするカウンタ（１カウントずつ、定期的に、一定の範囲で更新されるカウンタ）を「ぶら下げ基板」内に設け、そのカウンタの値をパチンコ機の電源投入に合わせて「０」にクリヤ（初期化）することにより、「ぶら下げ基板」内で特別遊技状態の発生タイミングを把握するのである。そして、その把握した大当たりの発生タイミングに合わせて、「ぶら下げ基板」内で遊技球の始動口への入賞信号（又は通過信号）を不正に生成し、前記主基板へ出力して、不当に特別遊技状態を発生させるのである。
【０００８】
ところで、従来では、近接スイッチと中継基板との間、中継基板と主基板との間、或いは、中継基板と他の各種入出力装置の基板との間には、多種多様にわたる信号を送受信するための複数の信号線が介設されている。上述した「ぶら下げ基板」は、一部の信号線を外した状態で、中継基板に直接取付けられるのが一般的であり、かかる取付はパチンコ機に関する知識をもった者にとっては比較的容易に行うことができるものであった。
【０００９】
しかも、従来では、遊技盤の裏面側における中継基板の近傍等は、上述した信号線が密集した状態で複雑に配設されていた。このため、仮に「ぶら下げ基板」が取付けられたとしても、該「ぶら下げ基板」が複雑に配設された信号線に紛れるようにして隠されることにより、「ぶら下げ基板」を発見することが困難となってしまうケースもあった。このように、従来では、「ぶら下げ基板」を用いた不正行為により、多大な被害を被っているという問題があり、しかも、その不正行為の発見も容易ではなかった。
【００１０】
本発明は、上述した問題に鑑みてなされたものであって、その目的は、「ぶら下げ基板」等を用いた不正行為を抑制することのできる遊技機を提供することにある。
【課題を解決するための手段】
【００１１】
上記の目的を達成するため、請求項１に記載の発明においては、所定の契機を検出する検出手段と、前記検出手段により検出された所定の契機が特定の条件を満たす場合に、遊技者にとって有利となる特別遊技状態を発生させる旨の信号を出力する制御手段を有してなる主基板と、前記主基板の外部に設けられ、少なくとも前記信号に基づいて駆動制御される動作装置と、前記検出手段及び前記主基板間、並びに、前記主基板及び前記動作装置間での信号の送信を許容するための複数の信号線と、前記信号線の途中に介設される中継基板とを備えた遊技機であって、前記中継基板側における前記信号線の少なくとも一部のコネクタを、前記中継基板に対し固着させたことをその要旨としている。
【００１２】
（作用）
上記請求項１に記載の遊技機によれば、検出手段により検出された所定の契機が特定の条件を満たす場合に、主基板に設けられた制御手段によって、遊技者にとって有利となる特別遊技状態を発生させる旨の信号が出力される。また、主基板の外部に設けられた動作装置は、少なくとも前記信号に基づいて駆動制御される。さらに、検出手段及び主基板間、並びに、主基板及び動作装置間での信号の送信は複数の信号線によって許容される。併せて、信号線の途中に介設される中継基板によって、信号線が複雑に入り乱れるのが回避され、信号線の整然化が図られる。
【００１３】
さて、本発明では、中継基板側における信号線の少なくとも一部のコネクタが、中継基板に対し固着されている。このため、中継基板から当該信号線を外して、「ぶら下げ基板」を中継基板に不正に介設しようとしても、その信号線の取り外しが困難であるとともに、仮に、信号線を取り外すことができたとしてもそこへの「ぶら下げ基板」の取付は困難となる。
【発明の効果】
【００１４】
以上詳述したように、本発明の遊技機によれば、「ぶら下げ基板」等を用いた不正行為を抑制することができるという優れた効果を奏する。
【図面の簡単な説明】
【００１５】
【図１】一実施の形態におけるパチンコ機を示す分解斜視図である。
【図２】パチンコ機を示す正面図である。
【図３】パチンコ機の主基板等の電気的構成を示すブロック図である。
【図４】始動スイッチ及びコネクタ等を示す分解斜視図である。
【図５】中継基板及びコネクタを示す部分側面図である。
【図６】別の実施の形態におけるパチンコ機の主基板等の電気的構成を示すブロック図である。
【発明を実施するための形態】
【００１６】
以下に、本発明における遊技機を、第１種始動口付パチンコ遊技機（以下、単に「パチンコ機」という）に具体化した一実施の形態を、図面に基づいて詳細に説明する。
【００１７】
図１はパチンコ機１の分解斜視図であり、図２はパチンコ機１の正面図である。図１に示すように、パチンコ機１の機枠２の前面一側には前面枠３が開閉自在に装着されている。その前面枠３の裏側には、遊技盤４が窓孔５に臨むようにして着脱自在に設置される。また、前面枠３の裏側の一側部には、機構盤６が上下の取付金具を介して開閉可能に装着されている。
【００１８】
遊技盤４の裏側には、入賞球を集合させるための入賞球集合カバー７が取付けられており、遊技盤４の裏面主要部たる中央部分をほぼ覆っている。この入賞球集合カバー７の外側表面には、主基板Ｃ（図２，３参照）を組み込んでなる基板ボックス８が固着されている。また、遊技盤４の裏面であって、入賞球集合カバー７の上方位置には、中継基板Ｎが取付けられている。これら主基板Ｃ及び中継基板Ｎの詳細については後述する。
【００１９】
図２に示すように、パチンコ機１の遊技盤４の表側には、第１種始動口１３及び大入賞口１４が設けられている。第１種始動口１３は、遊技球１５の通路を備えており、その通路入口には羽根１６が開閉可能に支持されている。
【００２０】
また、大入賞口１４の前には、シャッタ１７が設けられている。このシャッタ１７は、大入賞口１４の側部に設けられた大入賞口用ソレノイドにより作動させられ、大入賞口１４を開閉する。詳しくは、当該ソレノイドが励磁状態となることにより、シャッタ１７が略水平に傾き、これにより大入賞口１４が開かれる。また、ソレノイドが非励磁状態となることにより、シャッタ１７が略垂直状態となり、これにより大入賞口１４は閉鎖される。
【００２１】
遊技盤４の中央部分（大入賞口１４の上方）には、特別図柄表示装置（以下、単に「表示装置」という）１８が組込まれている。表示装置１８は、液晶（ＬＣＤ）ディスプレイ１８ａを備えており、ここに複数の（例えば３つの）図柄列が表示される。図柄列は、基本的には、複数種類の図柄によって構成されている。これらの図柄は、特別遊技図柄としての大当たり図柄、外れリーチ図柄及び外れ図柄のいずれかになりうる。
【００２２】
表示装置１８のＬＣＤディスプレイ１８ａでは、各図柄列の図柄変動（回転変動）が、遊技球１５の第１種始動口１３への入賞に基づいて開始させられる。また、大当たり図柄、外れリーチ図柄、外れ図柄の中から１つが選択され、これが停止図柄として設定される。停止図柄とは、各図柄列が図柄変動を停止したときに表示される図柄である。
【００２３】
大当たり図柄は、いわゆるリーチ状態を経た後、遊技者に有利な大当たり状態（特別遊技状態）を発生させるための図柄である。詳しくは、全ての図柄列の変動が停止させられたとき、表示されている図柄の組合せが、予め定められた大当たりの組合せ、すなわち、同一種類の図柄が大当たりラインに沿って並んでいるときの同図柄の組合せ（例えば、「７」、「７」、「７」の図柄）となる場合がある。この組合せを構成する図柄が「大当たり図柄」である。大当たりの組合せが成立すると、特別電動役物が作動し（所定時間（又は所定個数入賞するまで）、所定回数だけ大入賞口１４が開かれ）、遊技者にとって有利な大当たり状態が到来する。すなわち、遊技者は、開放されている大入賞口１４に遊技球１５を多数入賞させることにより、より多くの景品球を獲得することが可能となる。
【００２４】
表示装置１８において、ＬＣＤディスプレイ１８ａの上方には、発光ダイオード（ＬＥＤ）からなる保留ランプ９ａ，９ｂ，９ｃ，９ｄが組み込まれている。保留ランプ９ａ〜９ｄは、基本的には第１種始動口１３への入賞に基づく変動表示の保留毎に点灯させられ、その保留に対応した変動表示の実行に伴い消灯させられる。さらに、パチンコ機１には、遊技の進行に応じて効果音を発生する図示しないスピーカーが設けられている。
【００２５】
このほかにも、パチンコ機１の複数箇所には、遊技効果を高めるための各種ランプが取付けられている。これらのランプは、例えば風車ランプ、上部コーナー飾り、下部コーナー飾り等からなり、遊技の進行に応じて点灯状態（消灯、点灯、点滅等）が適宜変えられるようになっている。
【００２６】
本実施の形態では、遊技者の操作に応じて変化するパチンコ機１の遊技状態を検出するべく、遊技盤４には、始動スイッチ１９（検出手段を構成する）をはじめとする種々の検出スイッチが取付けられている。始動スイッチ１９は、遊技球１５の第１種始動口１３への入賞を検出するためのものであって、近接スイッチ、光スイッチ、機械式スイッチ等が用いられる。
【００２７】
次に、上述した主基板Ｃ及び中継基板Ｎの詳細について説明する。主基板Ｃは、始動スイッチ１９等の各種検出スイッチの検出結果に基づき、ソレノイドや、表示装置１８、各保留ランプ９ａ〜９ｄ、各種ランプ、スピーカ等をそれぞれ駆動制御するための制御手段を備えてなる。この主基板Ｃは、前記基板ボックス８内に封印されており、その封印を開封しなければ、外部操作（例えば後述するＲＯＭ２２等を取り外すこと）ができないようになっている。
【００２８】
図３に示すように、主基板Ｃは、演算手段である中央処理装置（ＣＰＵ）２１と、各種制御プログラム等を記憶した読み出し専用メモリ（ＲＯＭ）２２と、各種データ等を記憶するためのランダムアクセスメモリ（ＲＡＭ）２３とを備えている。ＲＡＭ２３には、コマンドバッファとコマンドカウンタとが設けられている。コマンドバッファは、各種制御データを一時的に記憶するためのバッファである。コマンドカウンタは、表示装置１８等の各種出力装置（周辺装置）へ送信される制御データの番号を示すカウンタである。コマンドバッファに書き込まれた制御データは、１回のタイマ割込処理により１バイトずつ表示装置１８等の各種出力装置へ送信されるが、その送信される制御データの番号を示すものがコマンドカウンタである。
【００２９】
また、ＲＡＭ２３は、大当たりの発生を決定するための乱数カウンタをも備えている。この乱数カウンタは、ＣＰＵ２１により実行される乱数更新処理により、所定（例えば「０」〜「１９９」）の範囲で、例えば２ｍｓ毎に、１カウントずつ更新される。本実施の形態では、乱数カウンタの値が例えば「７」であるときに、遊技球１５が第１種始動口１３に入賞することに基づいて、大当たり状態が発生させられるようになっている。
【００３０】
これらのＣＰＵ２１、ＲＯＭ２２、ＲＡＭ２３は、バスライン２４を介して互いに接続されている。バスライン２４は、また、入出力ポート２５にも接続されている。この入出力ポート２５は、コネクタ３１，４０及び信号線３２，３９を介して、中継基板Ｎのコネクタ３３，３８と接続されている。また、中継基板Ｎの別のコネクタ３４は、信号線３５及びコネクタ３６を介して表示装置１８等の各種出力装置と接続されている。また、中継基板Ｎのさらに別のコネクタ３７は、信号線２０及びコネクタ４１を介して、前記始動スイッチ１９に接続されている。すなわち、主基板Ｃは、始動スイッチ１９等から、中継基板Ｎ、入出力ポート２５を介して入力される入賞信号等に基づいて、入出力ポート２５、中継基板Ｎを介して表示装置１８等の各種出力装置へ、制御データ等の各種の動作信号（動作コマンド）を送って、各装置を駆動制御するのである。
【００３１】
次に、本実施の形態の特徴的部分について説明する。
【００３２】
図５に示すように、始動スイッチ１９及び中継基板Ｎ間を接続する信号線２０に関し、中継基板Ｎ側のコネクタ３７は、ボードインタイプのものが採用されており、中継基板Ｎに対し直接半田付けがなされている。これにより、コネクタ３７は中継基板Ｎに固着された状態となっており、中継基板Ｎからコネクタ３７を抜いたり差し込んだりすることが容易にはできないようになっている。
【００３３】
また、図４に示すように、前記信号線２０に関し、始動スイッチ１９側のコネクタ４１は、始動スイッチ１９に対し着脱可能となっている。
【００３４】
さらに、本実施の形態では、信号線３２，３５，３９に関し、中継基板Ｎ側のコネクタ３３，３４，３８についても、ボードインタイプのものが採用されており、中継基板Ｎに対し直接半田付けがなされている。
【００３５】
併せて、本実施の形態では、始動スイッチ１９及び中継基板Ｎ間を接続する信号線２０は、他の信号線３２，３５，３９と異なり、蛍光色を有しており、目視において容易に確認できるようになっている。また、当該信号線２０の両端のコネクタ４１，３７についても、他のコネクタ３３，３４，３８と異なり、蛍光色を有しており、目視において容易に確認できるようになっている。
【００３６】
以上詳述したように、本実施の形態によれば、中継基板Ｎ側における信号線３２，３５，２０，３９のコネクタ３３，３４，３７，３８が、中継基板Ｎに対し半田付けにより固着されている。このため、中継基板Ｎから当該信号線３２，３５，２０，３９を外して、「ぶら下げ基板」を中継基板に不正に介設しようとしても、その信号線３２，３５，２０，３９の取り外しが困難であるため、「ぶら下げ基板」の取付は困難となる。その結果、「ぶら下げ基板」を用いた不正行為を抑制することができる。
【００３７】
特に、本実施の形態では、始動スイッチ１９及び中継基板Ｎ間を接続する信号線２０の中継基板Ｎ側のコネクタ３７が、中継基板Ｎに対し直接固着されている。ここで、「ぶら下げ基板」には、始動スイッチ１９からの入賞信号に相当する信号を作成し大当たりとなるタイミングを見計らって主基板Ｃの方へと不正に送信するタイプが多い。従って、本実施の形態によれば、かかる多いタイプの「ぶら下げ基板」に対し、より効果的に上記作用を奏しうる。その結果、より効果的に不正行為を抑制することができる。
【００３８】
加えて、始動スイッチ１９及び中継基板Ｎ間を接続する信号線２０及びコネクタ４１，３７は、他の信号線３２，３５，３９や他のコネクタ３３，３４，３８と異なり、蛍光色を有しており、目視において容易に確認できるようになっている。このため、万が一「ぶら下げ基板」が不正に設けられたとしても、その不正が目視において容易に確認しうる。かかる意味で、さらに、効果的に不正行為を抑制することができる。
【００３９】
さらに、本実施の形態によれば、始動スイッチ１９側のコネクタ４１は、始動スイッチ１９に対し着脱可能となっている。このため、パチンコ機１の組立時等においては、始動スイッチ１９及び中継基板Ｎ等を所定の部位にセットしておいた上で、コネクタ４１を介して信号線２０を始動スイッチ１９に容易に連結することができる。また、故障等による始動スイッチ１９の交換時等においても、始動スイッチ１９及び中継基板Ｎ間の信号線２０の切り離しが容易に行われうる。その結果、従来に比べて作業性の低下を招いてしまうことがない。
【００４０】
尚、本発明は上述した実施の形態の記載内容に限定されるものではなく、従って、発明の趣旨を逸脱しない範囲で、例えば次のように実施してもよい。
【００４１】
（ａ）上記実施の形態では、始動スイッチ１９からの検出信号が信号線２０を介してまず中継基板Ｎに入力されるような構成とした。これに対し、図６に示すように、始動スイッチ１９からの検出信号が信号線２０を介して直接主基板Ｃに入力されるような構成としてもよい。但し、この場合には、その信号線２０におけるコネクタ４０が、主基板Ｃに対し固着されている必要がある。
【００４２】
上記のような構成とすることにより、主基板Ｃから当該信号線２０を外して、「ぶら下げ基板」を主基板に不正に介設しようとしても、その信号線２０の取り外しが困難であるとともに、仮に、信号線２０を取り外すことができたとしてもそこへの「ぶら下げ基板」の取付は困難となる。従って、上記実施の形態と同等の作用効果が奏される。また、主基板Cは封印されているので、信号線２０の取り外しがより一層困難となる。その結果、より一層効果的に不正行為の抑制を図ることができる。
【００４３】
（ｂ）また、上記（ａ）のように信号線２０のコネクタ４０を直接主基板Ｃに固着するような構成とした場合、中継基板Ｎを一切設けないような構成としてもよい。
【００４４】
（ｃ）上記実施の形態では、始動スイッチ１９及び中継基板Ｎ間を接続する信号線２０及びコネクタ４１，３７の色として蛍光色を用い、他の信号線３２，３５，３９や他のコネクタ３３，３４，３８と区別しうることとした。これに対し、他の色を用いて区別しうることとしてもよい。また、他の信号線やコネクタとを区別することなく、同一色を用いてもよい。
【００４５】
（ｄ）上記実施の形態では、中継基板Ｎ側のコネクタ３３、３４，３７，３８として、ボードインタイプのものを採用することとしたが、必ずしもそのような構成としなくてもよく、容易に着脱ができないように固着されていればよい。
【００４６】
（ｅ）本発明は、上記実施の形態とは異なるタイプの（第１種始動口付パチンコ機以外の）パチンコ機にも適用できる。従って、例えば第３種パチンコ機等にも応用できる。また、本発明は、パチンコ機以外にも、他のアレパチ、アレンジボール等の遊技機にも応用可能である。
【００４７】
（ｆ）上記実施の形態で例示した各種出力装置以外の他の出力装置を有する遊技機にも具体化できる。例えば、上記実施の形態では、表示装置１８にＬＣＤディスプレイ１８ａを備えたパチンコ機１に本発明を適用したが、ＬＣＤディスプレイ１８ａ以外にも、ＣＲＴ、ドットマトリックスＬＥＤ、エレクトロルミネッセンス（ＥＬ）、蛍光表示管、回転ドラム等を備えた表示装置としてもよい。
【００４８】
特許請求の範囲の請求項に記載されないものであって、上記実施の形態から把握できる技術的思想について以下に記載する。
【００４９】
（１）遊技機において、前記中継基板に固着されたコネクタ及び信号線の少なくとも一方は、他のコネクタ及び信号線の少なくとも一方と区別しうる外観を呈していることを特徴とする。
【００５０】
（２）遊技機において、前記制御手段は、乱数カウンタの値を更新する更新手段と、前記検出手段により検出された所定の契機に基づき前記乱数カウンタの値を読み出す読出手段と、その読出手段により読み出された前記乱数カウンタの値が予め定められた値の１つと一致する場合に、遊技者に対し所定の条件下で遊技者に有利な特別遊技状態を発生せしめる特別遊技状態発生手段とを備えていることを特徴とする。
【符号の説明】
【００５１】
１…遊技機としてのパチンコ機、４…遊技盤、８…基板ボックス、１３…第１種始動口、１４…大入賞口、１５…遊技球、１８…表示装置、１９…始動スイッチ、２１…ＣＰＵ、２２…ＲＯＭ、２３…ＲＡＭ、３２，３５，３９，２０…信号線、３１，３３，３４，３６，３７，３８，４０，４１…コネクタ、Ｃ…主基板、Ｎ…中継基板。
【図１】
2010022861.tif 000003
【図２】
2010022861.tif 000004
【図３】
2010022861.tif 000005
【図４】
2010022861.tif 000006
【図５】
2010022861.tif 000007
【図６】
2010022861.tif 000008